(57)【要約】      （修正有）【課題】平面デスクとパソコンラック等の仕様を集約した合体形のデスク構造を提供する。【解決手段】ノートパソコンサイズのA3，B4，A4等を基本とした目的寸法に合わせてボックスを製作し，平面型デスク上部に組み込み収納させる。ボックスはパソコン使用時には電動駆動装により立体状態にさせる。更にボックスを立体状態にした場合後方が大きな間口となる為安全対策や内部機能保護の為にボックス裏側両サイドにアルミ製部材等を加工したジャバラ式の骨組みを作り上下作動屈折ができる構造とする。【選択図】図１７
2005118503.tif 000002
【特許請求の範囲】
【請求項１】
平面型デスク（１）に新しい発想を加えて開発しょうとするもので例えばノートパソコンやその形体等のものが一台の机で使用する事が出来る構造にするそしてその形体を机に収納させる事も出来る方法として製作したい例えばボックス形状型やその類似型等を製作しそれを組込んで合体形式にするそして更に例えば駆動装置を取付けて手動式や電動式にしたデスクで１台２役の使い方が出来る製作方法である例えば一般用のデスクとパソコンラック型等の使用を両用させる事が出来るもので例えば学習用や書斎用及び企業用等と言った広範囲に渡ってそれぞれに使えるものとして机上デスクワークの使用とパソコンワーク等の使用そしてその手元サイドで切替えの出来る装置及び電動稼動操作式とする製造方法。
【請求項２】
製作方法は例えばノートパソコンサイズのＡ３、Ｂ４、Ａ４等を基本とした場合の目的寸法に合せて例えばボックス（３２）を製作しその組込む大きさや幅等を決めて平面板（１）を縦．横．等の裁断や切断加工を行うそれぞれの用途に依って裁断や切断の寸法等は異なるので大変重要な部分と成る、例えば机の完成イメージや机の機能を高める為の構想等からするといろんなアイデア手法はあると思うがここでは基本的なデスクの製作からして例えば平面板（１）の裏側にサイド柱（２）と言う木製部材を取付けて右（３）左（４）の横板それに後方板（５）等をビス（６）止めの固定をさせる方法但しサイド柱（２）を付ける時は板厚の分はあらかじめ引いた寸法にしておくこの周囲はビス止め等の製造方法。
【請求項３】
それから下方の足掛けバー（７）と呼ぶ組込み部材に付いては左右からボルト（８）締め等にしておりボルトを緩める事で足の置く角度調節が出来るようにしたものであるそして例えば腰木（９）と言った股木材を取付けて右（３）左（４）の横板の強度を取る事にしている更に電源コード穴（１０）や机としてのあるべき装備として例えば筆記用具入れ等の引出し（１１）類と小物入れ（１２）等の装着であるこれら（１１）（１２）に付いては取外しの出来る方法にしているこの部分は机の裏側後方板（５）から数個所ビス止め等にしている更に机上の例えば長さや幅等のサイズに依ってであるが用途範囲は広く平面（１）上サイドに物を置く事が出来る例えば組立型本立てやパソコン用プリンター更に照明器具の取付け等が代表的に可能である。
【請求項４】
それから備品の一時保管場所として机の内部に設置する事にしたもので例えばスッポンフック（１３）と言った市売品のプラスチック部材を取付けて解除板（１４）の一時保管や電源コード等の保管場所となる、そしてこれからデスク操作をする為の準備手順と成るが解除板（１４）とはパソコンを使用する際の初期に取り外す部材である通常はこの部分がロック状態に成っているその仕組みは例えば左右のヌリラッチ（１５）金具と磁石（１７イ）（１８ロ）の磁力にあるこのヌリラッチ金具を引き抜いてから解除板（１４）を外すと開閉板（１６）が外部マエブステー（１９）と共に前方へ倒れるのでそれから上板（２５）を引出してステップ（２０）立てをしながらラミン部（２１）と主軸先端カバー（２２）の部材の上に定着させる方法。
【請求項５】
この上板（２５）の組付け方は例えば左右のコ型レール（２４）部材に挟み込んだ形でありボックス開閉盤（２６）を開いた時に２重合せになるようにするそうする事に依って例えばパソコンキーボードを置く座台として強度が出る様に成るそこでコ型レール部材は例えばアルミ材やプラスチック材等にしてコ型レール（２４）の取付け法方は例えば底板（２３）にビス止め等にする、それからボックス開閉盤（２６）部材は例えばアクリル板や木製材料その他の材料等に依るものでこの部分は指先などで簡単に開けられない工夫を取入れたものであるこの開閉盤の左右に例えば磁石（２９）等の磁力で開閉盤（２６）の閉まりやたるみがない様にする事に依って「ほこり」等も入りにくく開け難い事にも成っている。
【請求項６】
更に開閉盤（２６）を開ける場合に小道具等を使う方法にしているその手順は例えばピック棒（２７）を使う事にあるこのピック棒はネジきりがされておりピック穴（２８）へねじ込んでから手前に引いて開ける方法叉閉める時は手持ちでも出来る事等このボックス開閉盤とは前後に屈折をさせる部材なので左右に内側マエブステー（３１）と言う金具部品を使用しそれに依って蓋の役目とキーボード座台の役目と２つの事が出来る構造に成っている。
【請求項７】
そして収納ボックス（３２）の製作部材としては例えば木製材料等を使用したものであるボックス（３２）と平面板（１）との関連には微調整部分を含めた相対的な見方をボックスの組合せ方やバランスを四方の角度から見て例えばボックスに勾配（３０）を付ける平面板（１）も少々勾配角度を付ける事ですり合う先端部分の勾配付け等をしてボックス形状の上下作動に支障の無い様にしたそして稼動装置「立体リフト５８」部材とはすき間間隔を取りボックスの上下作動時の遊びを作った事に依って収納ボックスのすわりが良いその必要数値は例えば５ｍｍ位とし浮いた状態にする更に例えばボックスの底面左右一部にストッパー等を作り２段構えも良いそしてボックス（３２）を前方立体や水平状態とか屈折式になる回転軸が必要であるそこでボックス（３２）前側左右に例えばボルトナット（３３）締め等の製造方法。
【請求項８】
更にボックス内の左右に取付けた部品を定着ファーム（３４）と呼ぶこのファームの構成はもう一つの部品が組込まれているそれがパッチング（４０）であるこれはパソコン本体等が倒れ落ちない様に左右から挟み込み着止させる方法であるこの定着ファーム（３４）の部材は例えばコ型アルミ製市売品等を使って加工製作し長さ等の寸法は収納ボックス（３２）の大きさに合せるそして定着ファーム部材に組込む部品としてパッチング（４０）部材とは図１５図１６の様に例えばツノとスプリング付き部材にした物を組込む方法である但し例えばパッチング先端部とパソコン本体側との一部に一致させる加工を施す必要がある例えばパソコン側を穴形状にしてパッチングのツノを差込むとか爪形状に成る小物部品を取付けてパッチングのツノを掛ける等があるその他の手法としては板バネスプリングも検討する製造方法。
【請求項９】
いよいよ稼動操作であるがこの両用型デスク製作手法としては例えば▲１▼手動式操作▲２▼コンピューター導入式電動操作▲３▼電動式稼動操作等がありうる実施例は電動式稼動操作で行いその製作の重要性はボックス（３２）を立体状態にさせる電動駆動装置が一番の主役である操作手順からすると手元に設置された電源スイッチボタンを含めたスイッチ操作機能にする為には例えば集約スイッチボックス（４１）を作るそしてその他の操作も出来る方法等を基本とするその部材は例えばプラスチック材等使用して製作し設置場所はデスク正面の左右どちら側でも取付けられる方法が良く一部に組入れた起動機能を高める切替え上下ツマミ（４２）や電源スイッチボタン（４３）等を集中させた製作方法。
【請求項１０】
起動操作手順の流れとしてはスイッチボタン（４３）から電源コード（４４）をえてモーター（４５）へそしてモーターノズル（４６）から主軸接続部（４７）更に主軸結合（４８）部へと連動されている事に依って駆動回転軸は回転する但し主軸結合個所は例えば差込みピン（４９）金具等数本を使って主軸（５０）を結合させている部分で有りこの接続させる個所の位置決めはあった方が良い何らかの不具合があった時に切り離して対応が出来るからであるそして主軸（５０）が正回転する事によって駆動ナット（５１）と車輪付きベース（５２）が共にレール（５３）上を前進移動始めるとリフトステー（５４）部から押上げられて起動リフト（５５）は引力スプリング（５６）の力と共に起動レール溝（５７）に沿いながら立体リフト（５８）の上昇そしてストッパー（５９）に押込まれてコロナ（６１）方向へ下がる機構の製造方法。
【請求項１１】
そして更に下向スプリング（６０）の引力に依ってコロナ（６１）と呼ぶ部分の形状をコロリング（６２）が乗り越えて下方へ落ちる仕組みであるコロリング（６２）の部材は例えば鉄製リング等を組込んだもので定置ピポット（６３）の個所までコロリング（６２）が落込む事に成る、この定置ピポット部分の加工製作は立体リフト（５８）左右に穴明け後例えば鉄製長棒等を通して両側をカシメ状態にする、この位置まで起動リフト（５５）の先端部が下がりコロリングに差込まれるとパソコンボックス（３２）が立体状態に起き上がり一定の位置まで前進する但しスライドステー（６６）と呼ぶ部分まで起動すると作動操作は全面ストップする事に成る、その後ボックス（３２）を平面状態に戻そうとする操作は切替え上下ツマミ（４２）を下方向にしてスイッチボタン（４３）を押し続けるとボックス全体が下がる製造方法。
【請求項１２】
但しパソコン収納ボックス（３２）を立体状態にした場合後方面全体が大きな間口となる為に例えば安全対策や内部機能保護やほこり等の入室防止対策が必要と成るそこでボックス（３２）裏側両サイドに例えばアルミ製部材等を加工しジャバラ式（６９ハ）（７０ニ）の骨組みを作り上下作動屈折形にする例えば数本の骨組みを左右に取付けて扇形にし下側軸部頂点を軽くビス（７７）止め等にして上下作動が出来る様にするその数本の骨組みに布張り（７１）をする例えば骨組み数箇所に小穴を明けて糸縫い付けや叉は接着方法等で数箇所を止める更に後方面は例えば巻取り式ロール布地（６８）を組入れて布地の端を両サイドの骨組みに覆いかぶせる及びボックスの先端部にビス（７２）止め等で着止させる但し後方面のロール布地（６８）個所は何らかの不具合が発生した時に開閉対応の出来る製造方法。
【請求項１３】
この巻取り式ロール布地（６８）は例えば市売品のロールカーテン布地等を自主加工し使用したものである巻取り器自体の取付け方は例えば両サイドのステー（７３）をボックスサイドにビス（７４）止めで固定するしかし左右のカーテン布地（７１）下側部分にたるみが出るのでタッチステー（７５）と言う金具を付けて張りを持たすその部材は例えばアルミ材等を加工し数個所をビス（７６）止めにする方法等としカーテン布地（７１）を四方から見るとボックス（３２）を水平状態にした時に両側の布地の先端が一部巣だまり状態に成る事が有るこの巣だまりの部分が主軸（５０）に覆いかぶさると巻き込んでしまう事が予想されるのでトラブル防止対策が必要と成ったそこで手段として例えば主軸（５０）の上部用にプラスチック部材カバー（６７）等を製作設置したら結果的に良いが再度の検討を含む製造方法。
【発明の詳細な説明】
【技術分野】
【０００１】本発明は平面型デスク（１）に新しい発想を加えて開発しようとするもので例えばノートパソコンやその形体等のものが一台の机で使用する事が出来る構造にするそしてその形体を机に収納させる事の出来る方法として製作したい例えばボックス形状型やその類似型等を製作しそれを組込んで合体形式にするそして更に例えば駆動装置を取付けて手動式や電動式にしたデスクで１台２役の使い方が出来る製作方法である例えば一般のデスクとパソコンラック型等の使用を両用させる事が出来るもので例えば学習用や書斎用及び企業用等と言った広範囲に渡ってそれぞれに使えるものとして机上デスクワークの使用とパソコンワーク等の使用そしてその区分が手元サイドで切替えの出来る装置及び電動稼動操作式とする製造方法。
製作方法は例えばノートパソコンサイズのＡ３、Ｂ４、Ａ４等を基本とした場合の目的寸法に合せて例えばボックス（３２）を製作しその組込む大きさや幅等を決めて平面板（１）を縦、横、等の裁断や切断加工を行うそれぞれの用途に依って裁断や切断寸法等は異なるので大変重要な部分と成る、例えば机の完成イメージや机の機能を高める為の構想等からするといろんなアイデア手法はあると思うがここでは基本的なデスクの製作からして例えば平面板（１）の裏側にサイド柱（２）と言う木製部材を取付けて右（３）左（４）の横板それに後方板（５）等をビス（６）止めの固定をさせる方法但しサイド柱（２）を付ける時は板厚の分はあらかじめ引いた寸法にしておくこの周囲はビス止め等の製造方法。【０００２】それから下方の足掛けバー（７）と呼ぶ組込み部材に付いては左右からボルト（８）締め等にしておりボルトを緩める事で足の置く角度調節が出来るようにしたものであるそして例えば腰木（９）と言った股木材を取付けて右（３）左（４）の横板の強度を取る事にしている更に電源コード穴（１０）や机としてのあるべき装備として例えば筆記用具入れ等の引出し（１１）類と小物入れ（１２）等の装着であるこれら（１１）（１２）に付いては取外しの出来る方法にしているこの部分は机の裏側後方板（５）から数個所ビス止め等にしている更に机上の例えば長さや幅等のサイズに依ってであるが用途範囲は広く平面（１）上サイドに物を置く事が出来る例えば組立型本立てやパソコン用プリンター更に照明器具の取付け等が代表的に可能である。
それから備品の一時保管場所も机の内部に設置する事にしたもので例えばスッポンフック（１３）と言った市売品のプラスチック部材を取付けて解除板（１４）の一時保管や電源コード等の保管場所となる、そしてここからデスク操作をする為の準備手順と成るが解除板（１４）とはパソコンを使用する際の初期に取り外す部材である通常はこの部分がロック状態に成っているその仕組みは例えば左右のヌリラッチ（１５）金具と磁石（１７イ）（１８ロ）の磁力にあるこのヌリラッチ金具を引き抜いてから解除板（１４）を外すと開閉板（１６）が外部マエブステー（１９）と共に前方へ倒れるのでそれから上板（２５）を引出してステップ（２０）立てをしながらラミン部（２１）と主軸先端カバー（２２）の部材の上に定着させる方法。【０００３】この上板（２５）の組付け方は例えば左右のコ型レール（２４）部材に挟み込んだ形でありボックス開閉盤（２６）を開いた時に２重合せになるようにするそうする事に依って例えばパソコンキーボードを置く座台として強度が出る様に成るそこでコ型レール部材は例えばアルミ材やプラスチック材等にしてコ型レール（２４）の取付け法方は例えば底板（２３）にビス止め等にする、それからボックス開閉盤（２６）の部材は例えばアクリル板や木製材料その他の材料等に依るものでこの部分は指先などで簡単に開けられない工夫を取入れたものであるこの開閉盤の左右に例えば磁石（２９）等の磁力で開閉盤（２６）の閉まりやたるみがない様にする事に依って「ほこり」等も入りにくく開け難い事にも成っている。
更に開閉盤（２６）を開ける場合に小道具等を使う方法にしているその手順は例えばピック棒（２７）を使う事にあるこのピック棒はネジきりがされておりピック穴（２８）へねじ込んでから手前に引いて開ける方法叉閉める時は手持ちで出来る事等このボックス開閉盤とは前後の屈折をさせる部材なので左右に内側マエブステー（３１）と言う金具部品を使用しそれに依って蓋の役目とキーボード座台の役目と２つの事が出来る構造に成っている。【０００４】そして収納ボックス（３２）の製作部材としては例えば木製材料等を使用したものであるボックス（３２）と平面板（１）との関連には微調整部分も含めた相対的な見方をボックスの組合せ方やバランスを四方の角度から見て例えばボックスに勾配（３０）を付ける平面板（１）も少々勾配角度を付ける事ですり合う先端部分の勾配付け等をしてボックス形状の上下作動に支障の無い様にしたそして稼動装置「立体リフト５８」部材とはすき間間隔を取りボックスの上下作動時の遊びを作った事に依って収納ボックスのすわりが良いその必要数値は例えば５ｍｍ前後位とし浮いた状態にする更に例えばボックスの底面左右一部にストッパー等を作り２段構えも良いそしてボックス（３２）を前方立体や水平状態とか屈折式になる回転軸が必要であるそこでボックス（３２）前側左右に例えばボルトナット（３３）締め等の製造方法。
更にボックス内の左右に取付けた部品を定着ファー厶（３４）と呼ぶこのファー厶の構成はもう一つの部品が組込まれているそれがパッチング（４０）であるこれはパソコン本体等が倒れ落ちない様に左右から挟み込み着止させる方法であるこの定着ファーム（３４）の部材は例えばコ型アルミ製市売品等を使って加工製作し長さ等の寸法は収納ボックス（３２）の大きさに合せるそして定着ファーム部材に組込む部品としてパッチング（４０）部材とは図１５図１６の様に例えばツノとスプリング付き部材にした物を組込む方法である但し例えばパッチング側先端部とパソコン本体側との一部に一致させる加工を施す必要がある例えばパソコン側を穴形状にしてパッチングのツノを差込むとか爪形状に成る小物部品を取付けてパッチングのツノを掛ける等があるその他の手法としては板バネスプリングも検討する製造方法。【０００５】いよいよ稼動操作であるがこの両用型デスク製作手法としては例えば▲１▼手動式操作▲２▼コンピューター導入式電動操作▲３▼電動式稼動操作等がありうる実施例は電動式稼動操作手法で行いその製作の重要性はボックス（３２）を立体状態にさせる電動駆動装置が一番の主役である操作手順からすると手元に設置された電源スイッチボタンを含めたスイッチ操作機能にする為には例えば集約スイッチボックス（４１）を作るそしてその他の操作も出来る方法等を基本とするその部材は例えばプラスチック材等使用して製作し設置場所はデスク正面の左右どちら側でも取付けられる方法が良く一部に組入れた起動機能を高める切替え上下ツマミ（４２）や電源スイッチボタン（４３）等を集中させた製作方法。
起動操作手順の流れとしてはスイッチボタン（４３）から電源コード（４４）をえてモーター（４５）へそしてモーターノズル（４６）から主軸接続部（４７）更に主軸結合（４８）部へと連動されている事に依って駆動回転軸は回転する、但し主軸結合個所は例えば差込みピン（４９）金具等数本を使って主軸（５０）を結合させている部分で有りこの接続させる個所の位置決めはあった方が良いここは何らかの不具合があった時に切り離して対応が出来るからであるそして主軸（５０）が正回転する事によって駆動ナット（５１）と車輪付きベース（５２）が共にレール（５３）上を前進移動始めるとリフトステー（５４）部から押上げられて起動リフト（５５）は引力スプリング（５６）の力と共に起動レール講（５７）に沿いながら立体リフト（５８）の上昇そしてストッパー（５９）に押込まれてコロナ（６１）方向へ下がる機構の製造方法。【０００６】そして更に下向スプリング（６０）の引力に依ってコロナ（６１）と呼ぶ部分の形状をコロリング（６２）が乗り越えて下方へ落ちる仕組みであるコロリング（６２）の部材は例えば鉄製リング等を組込んだもので定置ピポット（６３）の個所までコロリング（６２）が落込む事に成る、この定置ピポット部分の加工製作は立体リフト（５８）左右に穴明け後例えば鉄製長棒等を通して両側をカシメ状態にする、この位置まで起動リフト（５５）の先端部が下がりコロリングに差込まれるとパソコンボックス（３２）が立体状態に起き上がりそして一定の位置まで前進するスライドステー（６６）と呼ぶ部分まで起動すると作動操作は全面ストップする事に成る、その後ボックス（３２）を平面状態に戻そうとする操作は切替え上下ツマミ（４２）を下方向にしてスイッチボタン（４３）を押し続けるとボックス全体が下がる製造方法。
但しパソコン収納ボックス（３２）を立体状態にした場合後方面全体が大きな間口となる為に例えば安全対策や内部機能保護やほこり等の入室防止対策が必要と成るそこでボックス（３２）裏側両サイドに例えばアルミ製部材等を加工しジャバラ式（６９ハ）（７０ニ）の骨組みを作り上下作動屈折形にする例えば数本の骨組みを左右に取付けて扇形にし下側軸部頂点を軽くビス（７７）止め等にして上下作動が出来る様にするその数本の骨組みに布張り（７１）をする例えば骨組み数個所に小穴を明けて糸縫い付けや叉は接着方法等で数箇所を止める更に後方面は例えば巻取り式ロール布地（６８）組入れて布地の端を両サイドの骨組みに覆いかぶせる及びボックスの先端部にビス（７２）止め等で着止させる但し後方面のロール布地（６８）個所は何らかの不具合が発生した時に開閉対応の出来る製造方法。【０００７】この巻取り式ロール布地（６８）は例えば市売品のロールカーテン布地等を自主加工し使用したものである巻取り器自体の取付け方は例えば両サイドのステー（７３）をボックスサイドにビス（７４）止めで固定するしかし左右のカーテン布地（７１）下側部分にたるみが出るのでタッチステー（７５）と言う金具を付けて張りを持たすその部材は例えばアルミ材等を加工し数個所をビス（７６）止めにする方法等としカーテン布地（７１）を四方から見るとボックス（３２）を水平状態にした時に両側の布地の先端が一部巣だまり状態に成る事が有るこの巣だまりの部分が主軸（５０）に覆いかぶさると巻き込んでしまう事が予想されるのでトラブル防止対策が必要と成ったそこで手段として例えば主軸（５０）の上部用にプラスチック部材カバー（６７）等を製作設置したら結果的に良いが再度の検討を含む製造方法。
【背景技術】
【０００８】    検索内容としてＩＰＣ〔Ａ４７Ｂ３／０００〕〜〔Ａ４７Ｂ３／０９１〕やＩＰＣ〔Ａ４７Ｂ１３／０８〕〜〔Ａ４７Ｂ２７／００〕及びＩＰＣ〔Ａ４７Ｂ３９／？＋Ａ４７Ｂ４１／？〕や〔Ａ４７Ｂ３３９／００〕〜〔Ａ４７Ｂ４１／０６〕等の検索中では本発明に類する物は見当たらない事を確認出来た。
【発明の開示】
【発明が解決しようとする課題】
【０００９】今やパソコン情報社会の中にノートパソコンの増大と共にパソコンラック類も多く市販されている、「いわゆる置台である」しかしそうでない置台とされがちなのが学習机や書斎デスクの上に置くそしてその状態で使用するそして置き去りにされる事が多いと思われるしかし情報機器としては良い事ではない本来ならば効率良く収納が出来れば活性化と能率を発揮する事が出来る。
【課題を解決するための手段】
【００１０】そこで平面デスクとパソコンラック等の仕様を集約した合体形式のデスク構造であれば１台２役の使い方が出来るしかも電動駆動装置を導入する事に依って学習用の机にする叉は情報機器形体にする等その操作をする製造方法が広い分野で活性力と成り世代への開発が発揮できるものと考えている。
【発明の効果】
【００１１】本発明の両用型デスクは１通常の学習用や書斎用等と変わらない使用が出来る事そして２パソコンによる情報と資料の作成等がその場で打てる事更に３パソコン用プリンターや本立てそして照明スタンド等が置ける事等でデスク新開発の第一歩である効果だと考えている。【００１２】また、両用仕様の切替え操作が電動製と言う事で使用する際の難しさが少ない事そしてパソコン収納ボックスの開閉操作手順をしないとパソコン自体が使用出来ない事更に入力情報なども覗かれる事は無いと言った事が開発デスクの特長とも言える。
【発明を実施するための最良の形態】
【００１３】以下、本発明の実施の形態を図１〜図１７に基づいて説明する。【００１４】図１においては正面から見た図解とその項目そして製作材料は主に木材を使用しているそれに伴うことは切断加工と取り扱いがし易い事等が上げられるさて正面から見て引出し１１があるこれは単体で製作してから後方板５の裏側からビス止めにし取付けや取外しが出来る方法にしているこの引出しの製作寸法等に付いては机の大きさに似合った適度の寸法が良いので図解していないそしてポケット１２はプラスチック製市売品を加工してビス止めにし取付けや取外しが出来る方法叉スイッチボックス４１も取外し可能で有るが配線の中間部分の結線個所を抜けば抜取り交換等も可能である製作方法。【００１５】そして図２は前方平面から見た各部説明であるこの中でサイド柱２部材は平面板１の裏側周囲にビス止めにしているがこれに接着剤を塗ってビス止めにすると強硬な基盤にする事が可能である。【００１６】図３は分解図でも有り製造する場合や組立て等の参考図として表したものであるこの中でステップ２０部材はプラスチック５ｍｍ材と市売品の蝶番を貼り付けて組合せ実施用蝶番型に製作し開閉板１６に接着止めしたものであるそしてボックス開閉盤２６部材はアクリル板を使い厚さ３ｍｍ材使用しているが実施過程から見ると５ｍｍ材位までを検討する方が良いと思うこれは例えば木製素材の場合でも同じ事と思うが厚さもある程度あれば強度と耐久性強化は有るものと言える。【００１７】図４（Ａ）は断面の図解であるこの中で解除板１４とヌリラッチ１５を取外ししないと全てが開かない構造であるそして次の手順はボックス開閉盤２６を開ける為にはピック棒２７をピック穴２８にねじ込んで手前に引いて開ける方法である上記の手順を終らせる図解が図４（Ｂ）であるその手順に依って収納ボックス３２の駆動操作が出来る様になる構造を表したものである。【００１８】図５はボックス３２の内部と取付け構造を表しているこの中でボックスボルト３３の軸芯（中芯線）に付いては正確に出す事であるそしてボルトを通してダブルナット締めにしている、シングルナットでは抜ける事が多い為であるがこの部分は他の部材で検討する方法もある。【００１９】図６は解除板１４に取付けをしたヌリラッチ金具１５の取説を図解したものである。【００２０】図７（Ｃ）はピック棒２７の図解であり今回使用した物は長さ４０ｍｍ×太さ３ｍｍ部材であったが長さはそれ以下の寸法でも可能、（Ｄ）のマエブステー３１はボックス内部左右に使用した金具でありビス止めであるこの金具は上下の首振り自在が良いので使用したが比較的丈夫な金具である。【００２１】図８（Ｅ）の図解は開閉板１６部材にその他の部材取付け位置を表したものである及び主軸先端カバー２２の形態図であるそして（Ｆ）は開閉板１６の取付け部材である外側マエブステー１９部材を表したものである。【００２２】図９（Ｇ）は電動モーター４５に依って駆動装置が作動し上昇稼動状態を表したもので装置の各部が見える図解にしている（Ｈ）はそれに関連するスイッチボックス４１に纏わる形態そして（Ｉ）はモーター４８側と主軸５０側との接続部分を拡大し図解したものである。【００２３】図１０（Ｊ）は駆動装置の���動リフト５５と立体リフト５８の構造を拡大したものでストッパー５９とはコロリング６２の遊びを少なくする役目があるそしてコロナ６１部分と言うのは勾配付き金具で高さ１ｍｍ〜７ｍｍ位の勾配その上を乗越えるのがコロリング６２である（Ｋ）はその断面図でありリング６２が定置ピポット６３まで下がる事に依って着止するのが立体状態にさせる条件の構造である。【００２４】図１１はパソコン収納ボックス３２を立体状態にした断面図であるここではロールカーテン布地６８の形状とロール巻きのカーテンステー７３取付け位置を表したものである。【００２５】図１２は収納ボックス３２立体図であるが片側横面内部から見たジヤバラ骨６９（ハ）、７０（ニ）それとサイドカーテン布地７１の形態を表しているものでこのカーテン布地の弛みを押さえる物にタッチステー７５と言うアルミ部材を使い実施例では長さ２５０ｍｍ×巾１５ｍｍ×厚さ２ｍｍのものに数個所をビス（７６）止めにした図である。【００２６】図１３（Ｌ）は収納ボックス３２の後部面から見た図解であるここで表現したいものは左右のジャバラ骨６９（ハ）、７０（ニ）の位置やサイドの布地７１先端部そして主軸５０に巻き込み防止部材のカバー６７取付け位置等とそれから（Ｍ）はロールカーテン布地６８が収納ボックス３２の上部に覆いかぶさる形態関連図である。【００２７】図１４は机の外観部から見た組立て方や完成構想図であるこの中で締付けボルト８のサイズは長さ５０ｍｍ×太さ１０ｍｍであるが各部材の厚さ等に依って異なる事はあるそしてスッポンフック１３は市売品である裏側の粘着を利用、更に２ヶ所ビス止めにするとよりフックの強さが出るそして取付ける個所は机の内側で適度の位置とする。【００２８】図１５（Ｎ）は収納ボックス３２の図解であるこの中で定着ファーム３４の役目と言うとパソコン等を着止させる為の部品でありファーム本体は数個所をビス止めそして取付け取外し可能にするそれから（Ｏ）図解ではファーム３４とパッチング４０部品との形体を表した構想図であるその下にパッチングだけの構造図としてある、この構造はスプリング入りで伸び縮みの一体型それを右側用２個左側用２個ずつ使っているこの方がパソコン等の収まりが良い。【００２９】図１６がファーム３４とパッチング４０の小組方法を図解したものである今回の実施用パソコンサイズはＢ４型寸法を対象にして行ったがＢ４型以下の場合等にも対応が出来る方法としてはファーム３４の左右２本セットの単品があればこれらの幅等の大小に対応が可能である。【００３０】図１７は両用型デスクとして完成させた場合の構想図であるが机の内部にある引出し１１やフック１３類等の図に付いては図解を省略している。
【産業上の利用可能性】
【００３１】両用デスクは学習用から産業の利用に付いて何の問題も無い、但しノートパソコン類には今や超薄型や機種そしてタイプに依り形体その物に違いがある場合に即実施適用には至らない部分も有ると思う実施例の形状叉は形体を参考にし見直し製作をしながら一歩一歩の製造と前進が今後の開発課題である、実施例が即戦力と言う機種やタイプも市販されている事から開発を望んでいる。
【図面の簡単な説明】
【００３２】
【図１】本発明の実施形態を示す両用型デスクの正面図
【図２】同両用型デスクの上面図
【図３】デスク前面部分の分解図
【図４】デスクボックスの横断面図
【図５】同デスクボックスの前断面図
【図６】解除板と金具の取付け要領図
【図７】小物金具図
【図８】解除板サイドの見取り図
【図９】駆動装置全体図とその関連図
【図１０】同起動リフト及び立体リフト仕組み装置関連図
【図１１】収納ボックス立体断面図
【図１２】同収納ボックス立体横面図
【図１３】同収納ボックス立体後方見取り図
【図１４】両用デスクの外観組立て構想図
【図１５】ボックスとファーム部品との取説
【図１６】ファームとパッチングの組立て図解
【図１７】両用型デスクの完成構想図
【符号の説明】
【００３３】１、  平面板
２、  サイド柱
３、  右側板
４、  左側板
５、  後方板
６、  側板締付けビス
７、  足掛けバー
８、  締付けボルト
９、  腰木
１０、  電源コード穴
１１、  品入れ引出し
１２、  小物入れポケット
１３、  スッポンフック
１４、  解除板
１５、  ヌリラッチ金具
１６、  開閉板
１７、  磁石（イ）
１８、  磁石（ロ）
１９、  外部側マエブステー
２０、  ステップ
２１、  ラミン部
２２、  主軸先端カバー
２３、  底板
２４、  コ型レール
２５、  上板
２６、  ボックス開閉盤
２７、  ピック棒
２８、  ピック穴
２９、  開盤磁石
３０、  勾配
３１、  内部側マエブステー
３２、  パソコン収納ボックス
３３、  ボックスボルトナット
３４、  定着ファーム
３５、  平面板結合金具
３６、  金具締付けビス
３７、  底盤締付けビス
３８、  コ型レール取付けビス
３９、  カバー取設ビス
４０、  パッチング
４１、  スイッチボックス
４２、  上下切替えツマミ
４３、  電源スイッチボタン
４４、  電源コード
４５、  モーター
４６、  モーターノズル
４７、  主軸接続部
４８、  主軸結合
４９、  差込みピン
５０、  主軸
５１、  駆動ナット
５２、  車輪付きベース
５３、  レール
５４、  リフトステー
５５、  起動リフト
５６、  引力スプリング
５７、  起動レール溝
５８、  立体リフト
５９、  ストッパー
６０、  下向スプリング
６１、  コロナ
６２、  コロリング
６３、  定置ピポット
６４、  リフトステー
６５、  主軸カラー
６６、  スライドステー
６７、  主軸カバー
６８、  ロールカーテン布地
６９、  ジャバラ骨（ハ）
７０、  ジャバラ骨（ニ）
７１、  サイドカーテン布地
７２、  布地止めビス
７３、  ロールカーテンステー
７４、  ステー締付けビス
７５、  弛みタッチステー
７６、  タッチステー締付ビス
７７、  ジャバラ締めビス
【図１】
2005118503.tif 000003
【図２】
2005118503.tif 000004
【図３】
2005118503.tif 000005
【図４】
2005118503.tif 000006
【図５】
2005118503.tif 000007
【図６】
2005118503.tif 000008
【図７】
2005118503.tif 000009
【図８】
2005118503.tif 000010
【図９】
2005118503.tif 000011
【図１０】
2005118503.tif 000012
【図１１】
2005118503.tif 000013
【図１２】
2005118503.tif 000014
【図１３】
2005118503.tif 000015
【図１４】
2005118503.tif 000016
【図１５】
2005118503.tif 000017
【図１６】
2005118503.tif 000018
【図１７】
2005118503.tif 000019